【手続補正書】
【提出日】平成17年6月23日(2005.6.23)
【手続補正１】
【補正対象書類名】特許請求の範囲
【補正対象項目名】全文
【補正方法】変更
【補正の内容】
【特許請求の範囲】
【請求項１】
光画像形成性組成物であって、
（Ｉ）無機材料の微粉砕粒子であって、
（ａ）少なくとも１種類の界面活性剤で少なくとも部分的にコーティングされているコーティングされた銀と、
（ｂ）ガラス転移温度が３２５〜６００℃の範囲にあり、表面積の重量に対する比が１０ｍ２／ｇ以下であり、粒子の少なくとも８５重量％が０．１〜１０μｍの範囲の粒径を有する無機バインダーと
を含む無機材料の微粉砕粒子が、
（ＩＩ）有機媒体であって、
（ａ）コポリマー、インターポリマー、またはそれらの混合物である水性現像可能な光架橋性ポリマーであって、各コポリマーまたはインターポリマーは、（１）Ｃ１〜１０アルキルメタクリレート、Ｃ１〜１０アルキルアクリレート、スチレン、置換スチレン、またはそれらの組み合わせを含む非酸性コモノマーと、（２）エチレン系不飽和カルボン酸含有部分を含む酸性コモノマーとを含み、前記カルボン酸含有部分の２〜２０％が、第１および第２の官能性単位を有する反応性分子と反応し、前記第１の官能性単位はビニル基であり、前記第２の官能性単位は、前記カルボン酸部分と反応することによって化学結合を形成することができ、全ポリマー重量の少なくとも１０重量％の酸含有率を有し、ガラス転移温度が５０〜１５０℃の範囲にあり、重量平均分子量が２，０００〜２５０，０００の範囲にある前記コポリマー、インターポリマー、または混合物が形成される水性現像可能な光架橋性ポリマーと、
（ｂ）光開始系と、
（ｃ）有機溶媒と
を含む有機媒体中に分散したものから本質的になることを特徴とする光画像形成性組成物。
【請求項２】
請求項１に記載の組成物のキャスト層を含み、前記組成物が乾燥されて揮発性溶媒が除去されていることを特徴とするシート。
【請求項３】
請求項１に記載の組成物のキャスト層を含み、前記組成物が加熱されて前記有機媒体が実質的に除去されていることを特徴とする物品。
【請求項４】
光画像形成性組成物であって、
（１）無機材料の微粉砕粒子であって、
（ａ）界面活性剤で少なくとも部分的にコーティングされているコーティングされた銀と、
（ｂ）ガラス転移温度が３２５〜６００℃の範囲にあり、表面積の重量に対する比が１０ｍ２／ｇ以下であり、粒子の少なくとも８５重量％が０．１〜１０μｍの範囲の粒径を有する無機バインダーと
を含む無機材料の微粉砕粒子が、
（２）有機媒体であって、
（ｃ）コポリマー、インターポリマー、またはそれらの混合物である有機ポリマーバインダーであって、各コポリマーまたはインターポリマーは、（１）Ｃ１〜１０アルキルメタクリレート、Ｃ１〜１０アルキルアクリレート、スチレン、置換スチレン、またはそれらの組み合わせを含む非酸性コモノマーと、（２）エチレン系不飽和カルボン酸含有部分を含む酸性コモノマーとを含み、前記コポリマー、インターポリマー、または混合物は、全ポリマー重量の少なくとも１０重量％の酸含有率を有し、ガラス転移温度が５０〜１５０℃の範囲にあり、重量平均分子量が２，０００〜２５０，０００の範囲にある有機ポリマーバインダーと、
（ｄ）光硬化性モノマーと、
（ｅ）光開始系と、
（ｆ）有機溶媒と
を含む有機媒体中に分散したものから本質的になることを特徴とする光画像形成性組成物。
【請求項５】
請求項４に記載の組成物のキャスト層を含み、前記組成物が乾燥されて揮発性溶媒が除去されていることを特徴とするシート。
【請求項６】
請求項４に記載の組成物のキャスト層を含み、前記組成物が加熱されて、前記有機媒体が実質的に除去され、前記無機材料が実質的に焼結されていることを特徴とする物品。
【手続補正２】
【補正対象書類名】明細書
【補正対象項目名】００４９
【補正方法】変更
【補正の内容】
【００４９】
実際的な実施例を提供することによって本発明をより詳細に説明する。しかし本発明の範囲がこれらの実際的な実施例に限定されることは決してない。
以下に、本発明の好ましい態様を示す。
１．  光画像形成性組成物であって、
（Ｉ）無機材料の微粉砕粒子であって、
（ａ）少なくとも１種類の界面活性剤で少なくとも部分的にコーティングされているコーティングされた銀と、
（ｂ）ガラス転移温度が３２５〜６００℃の範囲にあり、表面積の重量に対する比が１０ｍ２／ｇ以下であり、粒子の少なくとも８５重量％が０．１〜１０μｍの範囲の粒径を有する無機バインダーと
を含む無機材料の微粉砕粒子が、
（ＩＩ）有機媒体であって、
（ａ）コポリマー、インターポリマー、またはそれらの混合物である水性現像可能な光架橋性ポリマーであって、各コポリマーまたはインターポリマーは、（１）Ｃ１〜１０アルキルメタクリレート、Ｃ１〜１０アルキルアクリレート、スチレン、置換スチレン、またはそれらの組み合わせを含む非酸性コモノマーと、（２）エチレン系不飽和カルボン酸含有部分を含む酸性コモノマーとを含み、前記カルボン酸含有部分の２〜２０％が、第１および第２の官能性単位を有する反応性分子と反応し、前記第１の官能性単位はビニル基であり、前記第２の官能性単位は、前記カルボン酸部分と反応することによって化学結合を形成することができ、全ポリマー重量の少なくとも１０重量％の酸含有率を有し、ガラス転移温度が５０〜１５０℃の範囲にあり、重量平均分子量が２，０００〜２５０，０００の範囲にある前記コポリマー、インターポリマー、または混合物が形成される水性現像可能な光架橋性ポリマーと、
（ｂ）光開始系と、
（ｃ）有機溶媒と
を含む有機媒体中に分散したものから本質的になることを特徴とする光画像形成性組成物。
２．  ステアリン酸、パルミチン酸、ステアリン酸塩、パルミチン酸塩、およびそれらの混合物から選択される界面活性剤をさらに含むことを特徴とする１．に記載の組成物。
３．  前記コーティングされた銀は、ステアリン酸、パルミチン酸、ステアリン酸塩、パルミチン酸塩、およびそれらの混合物から選択される界面活性剤で少なくとも部分的にコーティングされていることを特徴とする１．に記載の組成物。
４．  前記界面活性剤が、前記組成物中に、前記コーティングされた銀粒子を基準にして０．１〜１重量％の範囲内で見出されることを特徴とする３．に記載の組成物。
５．  前記反応性分子がエポキシド基またはヒドロキシ基を含有することを特徴とする１．に記載の組成物。
６．  さらに光硬化性モノマーからなることを特徴とする１．に記載の組成物。
７．  スクリーン印刷に好適なペースト粘稠性を有することを特徴とする１．に記載の組成物。
８．  １．に記載の組成物のキャスト層を含み、前記組成物が乾燥されて揮発性溶媒が除去されていることを特徴とするシート。
９．  １．に記載の組成物のキャスト層を含み、前記組成物が加熱されて前記有機媒体が実質的に除去されていることを特徴とする物品。
１０．  光画像形成性組成物であって、
（１）無機材料の微粉砕粒子であって、
（ａ）界面活性剤で少なくとも部分的にコーティングされているコーティングされた銀と、
（ｂ）ガラス転移温度が３２５〜６００℃の範囲にあり、表面積の重量に対する比が１０ｍ２／ｇ以下であり、粒子の少なくとも８５重量％が０．１〜１０μｍの範囲の粒径を有する無機バインダーと
を含む無機材料の微粉砕粒子が、
（２）有機媒体であって、
（ｃ）コポリマー、インターポリマー、またはそれらの混合物である有機ポリマーバインダーであって、各コポリマーまたはインターポリマーは、（１）Ｃ１〜１０アルキルメタクリレート、Ｃ１〜１０アルキルアクリレート、スチレン、置換スチレン、またはそれらの組み合わせを含む非酸性コモノマーと、（２）エチレン系不飽和カルボン酸含有部分を含む酸性コモノマーとを含み、前記コポリマー、インターポリマー、または混合物は、全ポリマー重量の少なくとも１０重量％の酸含有率を有し、ガラス転移温度が５０〜１５０℃の範囲にあり、重量平均分子量が２，０００〜２５０，０００の範囲にある有機ポリマーバインダーと、
（ｄ）光硬化性モノマーと、
（ｅ）光開始系と、
（ｆ）有機溶媒と
を含む有機媒体中に分散したものから本質的になることを特徴とする光画像形成性組成物。
１１．  ステアリン酸、パルミチン酸、ステアリン酸塩、パルミチン酸塩、およびそれらの混合物から選択される界面活性剤をさらに含むことを特徴とする１０．に記載の組成物。
１２．  前記コーティングされた銀は、ステアリン酸、パルミチン酸、ステアリン酸塩、パルミチン酸塩、およびそれらの混合物から選択される界面活性剤で少なくとも部分的にコーティングされていることを特徴とする１０．に記載の組成物。
１３．  前記界面活性剤が、前記組成物中に、前記コーティングされた銀粒子を基準にして０．１〜１重量％の範囲内で見出されることを特徴とする１０．に記載の組成物。
１４．  スクリーン印刷に好適なペースト粘稠性を有することを特徴とする１０．に記載の組成物。
１５．  １０．に記載の組成物のキャスト層を含み、前記組成物が乾燥されて揮発性溶媒が除去されていることを特徴とするシート。
１６．  １０．に記載の組成物のキャスト層を含み、前記組成物が加熱されて、前記有機媒体が実質的に除去され、前記無機材料が実質的に焼結されていることを特徴とする物品。